(57)【特許請求の範囲】
【請求項１】
自動車用シートのシートバックの裏面側に、左右に隣接して開口部を上側に向けた一対のポケットを設けたポケット構造において、
前記一対のポケットはそれぞれの開口幅が異なり、一方のポケットは開口幅が狭い縦長の小ポケットであり、他方のポケットは前記シートバックの残余の部分に開口幅を有する大ポケットであって、これらポケットのうち、前記小ポケットには、離着可能な離着部が上下方向に延在するファスナーを設けるとともに、前記ファスナーの裏面側には、前記離着部の左右両側部に沿って止着された内マチ材を設け、前記ファスナーの離着部を開いた状態で、該離着部間に上記内マチ材が展開し、前記小ポケットにペットボトルを収納可能となるように構成し、かつ、前記内マチ材の中央部にはシートバック面側へ凸になる折り目を形成したことを特徴とするポケット構造。
【請求項２】
上記一対のポケットの下方には、シートバックの幅方向に延在する下端プレートが配設され、前記小ポケットは、前記下端プレートに対して上方に間隔を開けて配設されるとともに、前記小ポケットと前記下端プレートとの間には下マチ材が配設されており、前記小ポケットの下端部における表皮と前記内マチ材との重合部に前記下マチ材の上端部を止着する一方、前記下マチ材の下端部を、前記下端プレートの表皮に止着したことを特徴とする請求項１に記載のポケット構造。
【発明の詳細な説明】
【０００１】
【発明の属する技術分野】
本発明は、自動車用シートのシートバックの裏面に配設される物入れとしてのポケット構造に関する。
【０００２】
【従来の技術】
図７〜図１１は、従来の自動車用シートのシートバックの裏面を利用した物入れとしてのポケットや、飲料水用のカップホルダー等を示しており、それらの収納構造について簡単に説明する。なお、各図において、同一名称であるものは同一の符号を付して説明する。
図７に示すシート３１のシートクッション３２の後側に配設されているシートバック３３の裏面側下部には、シートバック３３の一側部から他側部にわたって収納開口３４を有するポケット３５が配設されている。ポケット３５には地図等の薄手の小物を収容することができる。
【０００３】
図８に示すシートバック３３の裏面には、シートバック３３の上に固定されているヘッドレスト３６の取付けアーム等を係止部として利用し、シートバック３３に配設されるカップホルダー３７が取付けられている。カップホルダー３７は、ガイドリング３８とトレイ３９とから構成され、後部座席に座っている乗員は、飲料水の容器をカップホルダー３７に保持させることができる。
図９に示すシートバック３３の裏面には、ポケット３５が配設されている。ポケット３５は、シートバック３３の表皮４４に合成樹脂や皮等の生地４０を縫製して形成し、ポケット３５の左右両側部には縦方向に延在するマチ部４１が形成されている。ポケット３５は、このマチ部４１が広がることにより、ポケット３５内に厚手のものを収容することができる。
【０００４】
図１０のシートバック３３の裏面には、ポケット３５が配設されている。このポケット３５は、その収納開口３４の中間位置に1個若しくは複数のマチ部４１を設けている。そして、収納開口３４に近接させたマチ部４１の背面側には、ポケット３５の左右両側部にわたってゴムバンド４２が架橋されている。ポケット３５は、マチ部４１が広がることにより、ポケット３５内に厚手のものを収容することができ、さらにゴムバンド４２の付勢力により、収納開口３４を閉じることができる。
図１１のシートバック３３の裏面には、シートバック３３の内方に窪んでいる凹部４３を形成し、そこにポケット３５が配設されている。このようなポケット３５は、小物をポケット３５内に収容しても、シートバック３３の後方側に突出しない利点がある。
【０００５】
【発明が解決しようとする課題】
上記のポケット３５やカップホルダー３７には、以下のような欠点がある。
図７に示すポケット３５は、シートバック３３の表皮４４とポケット３５の生地４０の間、すなわち開口３４が狭く、厚手のものがポケット３５内に収容できない。
図８に示すカップホルダー３７は、飲料水の缶やペットボトル以外を収容する用途以外に活用することができない。カップホルダー３７を使用していなくとも、後部乗員側に突出しているので、邪魔となる。さらには、カップホルダー３７が金属材料であれば重量が重くなり、樹脂であれば成形のための型を必要とするので、高価な設備を必要とする。
【０００６】
図９に示すポケット３５は、使用していなくとも後席側に広がり見栄えが悪い。小物等の収容時においても、小物の位置が定まらず、車両の動きによってはそれが倒れることがある。
図１０に示すポケット３５は、使用状態によっては、ゴムバンド４２が伸びてしまうことがあり、また、図９に示すポケット３５と同様に小物の位置が定まらないという欠点がある。
図１１に示すポケット３５は、シートバック３３の背面に凹部４３を形成しているので、クッション性の低下が生じる。
【０００７】
本発明はこのような事情に鑑みてなされたものであって、見栄えが良く、ポケットに収容物が存在しない場合は、シートバックから後方へ突出することがなく、また収容物の保持力もあるポケット構造を提供することにある。
【０００８】
【課題を解決するための手段】
上記目的を達成するために、本発明のポケット構造は、自動車用シートのシートバックの裏面側に、左右に隣接して開口部を上側に向けた一対のポケットを設けたポケット構造において、前記一対のポケットはそれぞれの開口幅が異なり、一方のポケットは開口幅が狭い縦長の小ポケットであり、他方のポケットは前記シートバックの残余の部分に開口幅を有する大ポケットであって、これらポケットのうち、縦長の小ポケットには、離着可能な離着部が上下方向に延在するファスナーを設けるとともに、該ファスナーの裏面側には、前記離着部の左右両側部に沿って止着された内マチ材を設け、前記ファスナーの離着部を開いた状態で、該離着部間に上記内マチ材が展開し、前記小ポケットにペットボトルを収納可能となるように構成した。また、上記一対のポケットの下方には、シートバックの幅方向に延在する下端プレートが配設され、前記小ポケットは、前記下端プレートに対して上方に間隔を開けて配設されるとともに、前記小ポケットと前記下端プレートとの間には下マチ材が配設されており、前記小ポケットの下端部における表皮と前記内マチ材との重合部に前記下マチ材の上端部を止着する一方、前記下マチ材の下端部を、前記下端プレートの表皮に止着した。
【０００９】
【発明の実施の形態】
以下、本発明の実施の形態のポケット構造について、図面を参照しながら説明する。
図１は、自動車の前席側のシート１であり、このシート１は乗員が着座するシートクッション２とこのシートクッション２の後部から立設するシートバック３を備えている。シートバック３の裏面側には、シートバック３のほぼ中間部から下側にかけて大ポケット５と小ポケット６とが設けられている。大ポケット５と小ポケット６は、各々の開口８，９を上方に向けて、シートバック３の左右両側部に隣接して設けられている（なお、本明細書おいて、左右とは、車体及びシート１の幅方向に対する左右をいう）。一方の大ポケット５は矩形であり、生地１１をシートバック３の表皮７に、止着されて形成されている。そして、大ポケット５の左側部はシートバック３の左側縁に縫製され、右側部は小ポケット６の左側部との境界で縫製され、下側部はシートバック３の下端側表皮７ａに縫製されている。
【００１０】
縦長の小ポケット６は、図２の拡大図に示すように、縦方向に離着可能なファスナー１２の離着部１４を小ポケット６の左右中央部に上下方向に設け、かつファスナー１２の離着側の一端を上方に向けている。ファスナー１２には離着部１４を左右に跨ぐようにして内マチ１５を設けている。小ポケット６は、ファスナー１２を閉じた状態では、開口９部が狭小であるが、図３に示すようにファスナー１２を開いた状態では、内マチ１５の幅だけ開口９部が広がって大きくなる。よって、小ポケット６内にペットボトル１６等のように径の大きなものや厚手のものを収容することができる。
【００１１】
以下、この小ポケット６の表皮としての生地１７、そして内マチ１５とファスナー１２の取付方法について説明する。
図４は、図２のＡ−Ａ線方向の断面図であり、図５は図２のＢ−Ｂ線方向の断面図であり、図６は図２のＣ−Ｃ線方向の断面図である。
図４に示すように、小ポケット６の上部は、その生地１７が、シートバック３の表皮に配設され、左右方向の中間部で一定の間隔を開けて、端部が一重に折り返されている。その間隔の開いた部分から、ファスナー１２の離着部１４が露出するように、生地１７の裏面側（シートバック３面側）に、ファスナー１２の縫い代１８が重ねられている。内マチ１５は矩形であり、その両端部を内側に曲げるようにして、縫い代１８の裏面側（シートバック３面側）に重ねられている。そして、生地１７の端部、縫い代１８及び内マチ１５の端部が、それぞれファスナー１２の縫い代１８の長手方向に沿って縫製ａされる。
なお、図４に示すように、内マチ１５は、ファスナー１２の離着部１４に対応する中間部がシートバック３面側に凸となるように折曲げ部１９を形成することが好ましい。こうすることにより、ファスナー１２の離着時に内マチ１５の噛み込みを防止することができる。
【００１２】
図５に示すように、小ポケット６の下部は、ポケット６の生地１７の両端部とファスナー１２の縫い代１８の配置関係は、図４に示したものと同じであり、内マチ１５の縫製部のみ異なっている。内マチ１５の下部は、その両端部にファスナー１２の縫い代１８に対応する位置に折返し部を各々３箇所設け、内マチ１５を４枚重ねにしている。そして、この折返し部をファスナー１２の縫い代１８の裏面側に重ねて、縫製ａされている。したがって、ファスナー１２の離着部１４を開いたときは、内マチ１５の形状が、そのファスナー１２の離着部１４を開いたときの逆三角形状に対応するような形状になる。また、本実施の形態では、小ポケット６内にペットボトル１６が入るように、内マチ１５の大きさを設定する。
【００１３】
図６に示すように、小ポケット６の下端部は、上述したように内マチ１５が折返されて４枚重ねにされ、縫い代１８及び２枚重ねの小ポケット６の生地１７に重ねられ、それらの重合部２２がシートバック３側に折り返されている。また、小ポケット６の下部、すなわちシートバック３の下端部には、シート１の左右方向に延在し、シートバック３の下端側表皮７ａに嵌装されているプレート２０が、小ポケット６の下端部に対して間隔を開けて設けられている。そして、小ポケット６とプレート２０との間に下マチ２１が配設されており、この下マチ２１の上端部が上述した重合部２２の下に重ねられて、車幅方向に向けて縫製ｂされている。シートバック３の下端側表皮７ａの両端部は下マチ２１の下端部に対応させて、その下端部に重ねられて、車幅方向に縫製ｃされている。
【００１４】
この下マチ２１を小ポケット６とプレート２０の縫製部との間に設けた理由は、内マチ１５の下端部を多重に折り畳んで縫製するので、それらの重合部が膨らんで見え、外観を損なうことがある。そして、さらにプレート２０を覆っている下端側表皮７ａをその重合部に重ねて縫製すると、さらにその縫製部が膨らんでしまう。特に、下端側表皮７ａ等の表皮は、皺が生じないようにマチ１５，２１に比較して厚い生地で形成されている。そこで、下マチ２１を設けることにより、縫製部を上下に２箇所に分けて形成し、外観の向上を図っている。
【００１５】
本実施の形態ではこのように構成したので、本や雑誌のように薄手のものは、大ポケット５に収容し、ペットボトル１６については小ポケット６のファスナー１２を開いて、それを小ポケット６内に収容することができる。小ポケット６の内マチ１５の遊び幅はペットボトル１６に応じた幅を有するようにしておくことで、缶等の保持が安定し、ペットボトル１６を小ポケット６内から取出すときは、従来のように金属製のカップホルダーと異なり、車の振動を受けて異音が発生することがない。小ポケット６の未使用では、ファスナー１２を閉じておけば、開口９部が後部座席側に広がることがなく、見栄えもよい。ファスナー１２の下端は広がらないように形成しているので、ファスナー１２が外れなかったり、片手でファスナーを簡単に開閉できる。
【００１６】
以上、本発明の実施の形態について説明したが、勿論、本発明は本発明の技術的思想に基づいて、種々の変形または変更が可能である。
例えば、上記実施の形態では、飲料水のペットボトルを例に挙げたが、その他飲料水の缶や、飲料水に限らずその他特定の小物の形状若しくは大きさに合わせて形成してもよい。また、大ポケット５の大きさを小ポケット６の大きさよりも小さくしたが、反対に小ポケット６の方を大きくし、用途に見合ったものを形成するようにしてもよい。
上記実施の形態では、内マチ１５及び下マチ２１の材質について、特に限定しなかったが、皮、合成樹脂または布等を用いることができ特に限定されない。
【００１７】
【発明の効果】
以上説明したように、本発明のポケット構造は、自動車用シートの背面に配設したシートバックの裏面側に、左右に隣接して開口部を上側に向けた一対のポケットを設け、これらポケットのうち、いずれか一方のポケットの開口部の周囲の大きさを変更できるように配設したので、一方のポケットの開口を可変できるようにしたので、その拡張時には厚みのあるペットボトルや飲料水用缶を収納することができ、他方のポケットは本などの薄いものが収容できる。この際、同時にペットボトル等や本を収納しても、それぞれが移動することがない。また、一方のポケットを使用しない時には、シートバックの後方へ突出することがない。上記発明のポケット構造は、上記一方のポケットに離着可能な離着部が上下方向に延在するファスナーを設け、該ファスナーの離着部の左右両側部に沿って、かつファスナーの裏面側に内マチ材を止着することにより、上記ポケットの開口部の大きさを変更できるように形成し、上記内マチ材の中央部にはシートバック面側へ凸になる折り目を形成したので、ファスナーの反対側に向けた折り目を形成することにより、ファスナーの開閉時にファスナーが内マチ材を噛合することを防止することができる。さらに、上記ポケット構造は、上記一方のポケットの下部に、該ポケットに対して間隔を開けて、シートバックの幅方向に配設されるシートバックの下端プレートを配設し、これらポケットと下端プレートとの間に下マチ材を配設し、ポケットの下部に位置するポケット表皮及び内マチ材の重合部と上記下マチ材の上端部とを止着し、下マチ材の下端部と上記下端プレートを嵌装する表皮とを止着したので、ポケットの下端部が多重に折り畳まれていても、その部分が膨れないようにして、外観の向上を図ることができる。
【図面の簡単な説明】
【図１】本発明の実施の形態のポケット構造を採用しているシートのシートバックの裏面の斜視図である。
【図２】図１に示されている小ポケットの拡大斜視図である。
【図３】図１に示されている小ポケットにペットボトルが収容されている状態を示す斜視図である。
【図４】図２におけるＡ−Ａ線方向の断面図である。
【図５】図２におけるＢ−Ｂ線方向の断面図である。
【図６】図２におけるＣ−Ｃ線方向の断面図である。
【図７】従来のポケット構造を採用しているシートのシートバックの裏面の斜視図である。
【図８】シートバックの背後に配設される従来のカップホルダーの斜視図である。
【図９】シートバックのポケットの側部にマチ部を設けている従来のポケット構造の斜視図である。
【図１０】シートバックのポケットの中間部にマチ部を設けている従来のポケット構造の斜視図である。
【図１１】シートバックの内部に凹部を設けそこにポケットを配設した従来のポケット構造の斜視図である。
【符号の説明】
３  シートバック
５  大ポケット
６  小ポケット
８，９開口
１１，１７  生地
１２  ファスナー
１４  離着部
１５  内マチ
１８  縫い代
２１  下マチ
【図１】
0003838490.tif 000002
【図２】
0003838490.tif 000003
【図３】
0003838490.tif 000004
【図４】
0003838490.tif 000005
【図５】
0003838490.tif 000006
【図６】
0003838490.tif 000007
【図７】
0003838490.tif 000008
【図８】
0003838490.tif 000009
【図９】
0003838490.tif 000010
【図１０】
0003838490.tif 000011
【図１１】
0003838490.tif 000012